(57)【要約】      （修正有）【課題】火災感知器の感知器線及び又は減圧検出器の制御線の断線障害を検出している防護区画での火災発生に対し、簡単な操作で迅速且つ確実に予作動弁装置の開放操作を可能とする。【解決手段】予作動制御盤34に、火災感知器36を接続した感知器線114の断線を検出する第１断線監視部110、減圧警報圧力スイッチ58を接続した制御線116の断線を検出する第２断線監視部112及び放水断定操作を受け付ける放水断定スイッチ108を設ける。制御部100は、感知器線114の断線検出と減圧警報圧力スイッチ58による減圧検出を判別した状態、制御線116の断線検出と火災検出を判別した状態、或いは、感知器線114の断線検出と制御線116の断線検出の両方を判別した状態で、放水断定スイッチ108による放水断定操作の受付けを検出した場合、断線検出を判別している防護区画の例えば予作動弁装置24-1を開放させる。【選択図】図３
2015029631.tif 000002
【特許請求の範囲】
【請求項１】
複数の防火区画毎に、
閉鎖型のスプリンクラーヘッドと、
防護区画の火災を検出する火災感知器と、
遠隔制御により開放され、１次側の給水配管から供給された加圧消火用水を２次側配管に接続した前記スプリンクラーヘッドに供給する予作動弁装置と、
前記スプリンクラーヘッドの開放作動による前記予作動弁装置の２次側配管の減圧を検出する減圧検出器と、
前記火災感知器による火災検出と前記減圧検出器による減圧検出の両方を判別した場合に前記予作動弁装置を開放して前記スプリンクラーヘッドから加圧消火用水を散水させる制御部と、
を備え、定常監視状態で前記スプリンクラーヘッドを接続した前記予作動弁装置の２次側配管に加圧消火用水を充水するか又は加圧空気を充填した予作動式スプリンクラー設備に於いて、
前記火災感知器を接続した感知器線の断線を検出する第１断線監視部と、
前記減圧検出器を接続した制御線の断線を検出する第２断線監視部と、
放水断定操作を受け付ける放水断定スイッチと、
を設け、
前記制御部は、
前記第１断線監視部による前記感知器線の断線検出と前記減圧検出器による減圧検出を判別した状態、
前記第２断線監視部による前記制御線の断線検出と前記火災感知器による火災検出を判別した状態、或いは、
前記第１断線監視部による前記感知器回線の断線検出と前記第２断線監視部による前記信号回線の断線検出の両方を判別した状態で、
前記放水断定スイッチによる放水断定操作の受付けを検出した場合、前記断線検出を判別している防護区画の予作動弁装置を開放させる、
ことを特徴とする予作動式スプリンクラー消火設備。
【請求項２】
請求項１記載の予作動式スプリンクラー消火設備に於いて、更に、前記制御部は、前記第１断線監視部及び第２断線監視部による断線検出がなく、前記火災感知器による火災検出又は前記減圧検出器による減圧検出を判別した状態で、前記放水断定スイッチによる放水断定操作の受付けを検出した場合、前記火災検出又は断線検出を判別している防護区画の予作動弁装置を開放させることを特徴とする予作動式スプリンクラー消火設備。
【請求項３】
請求項１記載の予作動式スプリンクラー消火設備に於いて、
前記制御部は、前記第１断線監視部による前記感知器線の断線検出又は前記第２断線監視部による前記制御線の断線検出を判別した場合、断線障害警報を出力させることを特徴とする予作動式スプリンクラー消火設備。
【請求項４】
請求項１又は２記載の予作動式スプリンクラー消火設備に於いて、
前記予作動弁装置は、
加圧消火用水の圧力を利用した駆動機構により開閉動作する予作動弁と、
遠隔操作により前記予作動弁を開閉させる作動電動弁と、
を備え、
前記制御部は、前記作動電動弁の遠隔操作により前記予作動弁を開動作して、１次側の給水配管から供給された加圧消火用水を２次側配管に接続した前記スプリンクラーヘッドに供給することを特徴とする予作動式スプリンクラー消火設備。
【発明の詳細な説明】
【技術分野】
【０００１】
本発明は、火災感知器による火災検出時に予作動弁を開放して２次側配管に加圧消火用水を供給した後にスプリンクラーヘッドの作動で放水させる予作動式スプリンクラー消火設備に関する。
【背景技術】
【０００２】
従来、スプリンクラーヘッドの破損などによる誤放水を防止する消火設備として予作動式のスプリンクラー消火設備が知られている。
【０００３】
予作動式スプリンクラー消火設備は、防護区画に設置された予作動弁装置、閉鎖型のスプリンクラーヘッド、火災感知器及び予作動制御盤で構成される。スプリンクラーヘッドを接続した予作動弁装置の２次側配管に加圧消火用水を充水するか又は圧縮空気を充填しており、火災感知器による火災発報とスプリンクラーヘッドによる減圧検出の両方を判別した場合（ダブルインターロック制御）、予作動弁装置を開放してスプリンクラーヘッドから加圧消火用水を放水させる。
【０００４】
一方、スプリンクラーヘッドが破損した場合は、火災感知器による火災発報が判別されていないことから予作動弁装置の開放は行われず、誤放水を確実に防止することができる。
【０００５】
また、従来の予作動式スプリンクラー消火設備では、火災感知器を接続する感知器線が断線している場合は、スプリンクラーヘッドが作動しても放水が行われないため、感知器回線が断線した場合、火災信号として扱うようにしたシステムが提案されている(特許文献３)。
【先行技術文献】
【特許文献】
【０００６】
【特許文献１】特開平４−１８９３７２号公報
【特許文献２】特開平４−２７６２７１号公報
【特許文献３】特許第３２３８７５９号公報
【発明の概要】
【発明が解決しようとする課題】
【０００７】
しかしながら、このような感知器回線が断線した場合に火災信号として扱うようにした従来の予作動式スプリンクラー消火設備にあっては、予作動弁装置の点検時などに誤ってスプリンクラーヘッドを破損し、併せて感知器線を断線してしまったような場合、感知器線の断線検出を火災信号として扱うことで、火災発報と減圧検出の両方が判別され、予作動弁装置の主弁が開放し、破損したスプリンクラーヘッドから誤放水が行われ、水損防止が図れなくなる問題点がある。
【０００８】
一方、予作動弁制御盤で、感知器線が断線した場合には、断線した防護区画に対応して設けた断線表示灯の点灯により断線障害表示を行っているが、この断線障害表示を行っている防護区画で火災が発生した場合、火災信号が得られず、スプリンクラーヘッドが作動して減圧検出が判別されても放水は行われない。
【０００９】
このような場合には、係員が予作動制御盤の操作部により火災が発生している防護区画に対する回線の選択操作を行い、続いて選択した予作動弁装置の主弁を開放させる操作を行う必要があり、感知器線の断線障害を検出して障害表示している防護区画で火災が発生した場合の予作動弁装置の開放に手間と時間がかかる問題がある。
【００１０】
本発明は、火災感知器の感知器線及び又は減圧検出器の制御線の断線障害を検出している防護区画での火災発生に対し、簡単な操作で迅速且つ確実に予作動弁装置の開放操作を可能とする予作動式スプリングー消火設備を提供することを目的とする。
【課題を解決するための手段】
【００１１】
（予作動式スプリンクラー消火設備）
本発明は、
複数の防火区画毎に、
閉鎖型のスプリンクラーヘッドと、
防護区画の火災を検出する火災感知器と、
遠隔制御により開放され、１次側の給水配管から供給された消火用水を２次側配管に接続したスプリンクラーヘッドに供給する予作動弁装置と、
スプリンクラーヘッドの開放作動による予作動弁装置の２次側配管の減圧を検出する減圧検出器と、
火災感知器による火災検出と減圧検出器による減圧検出の両方を判別した場合に予作動弁装置を開放してスプリンクラーヘッドから消火用水を散水させる制御部と、
を備え、定常監視状態でスプリンクラーヘッドを接続した予作動弁装置の２次側配管に加圧消火用水を充水するか又は加圧空気を充填した予作動式スプリンクラー消火設備に於いて、
火災感知器を接続した感知器線の断線を検出する第１断線監視部と、
減圧検出器を接続した制御線の断線を検出する第２断線監視部と、
放水断定操作を受け付ける放水断定スイッチと、
を設け、
制御部は、
第１断線監視部による感知器線の断線検出と減圧検出器による減圧検出を判別した状態、
第２断線監視部による制御線の断線検出と火災感知器による火災検出を判別した状態、或いは、
第１断線監視部による感知器回線の断線検出と第２断線監視部による信号回線の断線検出の両方を判別した状態で、
放水断定スイッチによる放水断定操作の受付けを検出した場合、断線検出を判別している防護区画の予作動弁装置を開放させる、ことを特徴とする。
【００１２】
（回線が正常な場合の放水断定スイッチによる放水）
更に、制御部は、第１断線監視部及び第２断線監視部による断線検出がなく、火災感知器による火災検出又は減圧検出器による減圧検出を判別した状態で、放水断定スイッチによる放水断定操作の受付けを検出した場合、火災検出又は断線検出を判別している防護区画の予作動弁装置を開放させる。
【００１３】
（断線障害警報）
制御部は、第１断線監視部による感知器線の断線検出又は第２断線監視部による制御線の断線検出を判別した場合、断線障害警報を出力させる。
【００１４】
（予作動弁装置）
予作動弁装置は、
加圧消火用水の圧力を利用した駆動機構により開閉動作する予作動弁と、
遠隔操作により予作動弁を開閉させる作動電動弁と、
を備え、
制御部は、作動電動弁の遠隔操作により予作動弁を開動作して、１次側の給水配管から供給された加圧消火用水を２次側配管に接続したスプリンクラーヘッドに供給する。
【発明の効果】
【００１５】
本発明の予作動式スプリンクラー消火設備によれば、予作動制御盤に、火災感知器を接続した感知器線の断線を検出する第１断線監視部、減圧検出器を接続した制御線の断線を検出する第２断線監視部及び放水断定操作を受け付ける放水断定スイッチを設け、制御部により、第１断線監視部による感知器線の断線検出と減圧検出器による減圧検出を判別した状態、第２断線監視部による制御線の断線検出と火災感知器による火災検出を判別した状態、或いは、第１断線監視部による感知器回線の断線検出と第２断線監視部による制御線の断線検出の両方を判別した状態で、放水断定スイッチによる放水断定操作の受付けを検出した場合、断線検出を判別している防護区画の予作動弁装置を開放させるようにしたため、断線障害を検出している防護区画で火災が発生した場合、係員は放水断定スイッチを操作するだけで、その防護区画に設けた予作動弁装置を自動的に選択して開放動作させることができ、火災感知器の感知器線及び又は減圧検出器の制御線の断線障害を検出している防護区画での火災発生に対し、簡単な操作で迅速且つ確実に予作動弁装置を開放して火災を抑制することを可能とする。
【図面の簡単な説明】
【００１６】
【図１】予作動式スプリンクラー消火設備の概略を示した説明図
【図２】図１の予作動弁装置を取り出して詳細を示した説明図
【図３】図１の予作動弁制御盤の機能構成の実施形態を示したブロック図
【図４】予作動制御盤のパネルを取出して示した説明図
【図５】予作動制御盤の制御部による動作機能を一覧で示した説明図
【図６】予作動式スプリンクラー消火設備における火災発生時の制御動作を示したフローチャート
【発明を実施するための形態】
【００１７】
［予作動式スプリンクラー消火設備の概要］
図１は本発明による予作動式スプリンクラー消火設備の概要を示した説明図である。図１に示すように、建物の地下階などのポンプ室には消火ポンプ１０を設置し、モータ１２により駆動する。モータ１２はポンプ制御盤１４により起動・停止の運転制御を受ける。モータ１２により駆動された消火ポンプ１０は水源水槽１５からの消火用水を吸入し、建物の高さ方向に配置した給水本管１６に加圧した消火用水を供給する。
【００１８】
消火ポンプ１０に対しては呼水槽１７を設ける。また消火ポンプ１０を始動するため圧力タンク１８を設ける。圧力タンク１８は給水本管１６に接続し、配管内の加圧消火用水を導入して内部の空気を圧縮している。圧力タンク１８には圧力スイッチ２０を設け、圧力スイッチ２０は給水本管１６の管内圧力が規定圧力以下に低下したことを検出してポンプ制御盤１４に減圧検出信号を出力し、これによってモータ１２を駆動して消火ポンプ１０を始動する。
【００１９】
給水本管１６からは建物の例えば階別の防護区画毎に分岐管２２を引き出している。分岐管２２の分岐部分には予作動弁装置２４を設けている。予作動弁装置２４の２次側の分岐管２２には閉鎖型のスプリンクラーヘッド２６を設けている。またスプリンクラーヘッド２６を設置した防護区画には火災感知器３６を設置し、火災感知器３６からの感知器線を自火報受信機３５を介して予作動制御盤３４に接続している。
【００２０】
分岐管２２の末端側には末端試験弁２８を設け、その２次側を、オリフィス３０を介して排水管３２に接続している。予作動弁装置２４は通常の監視状態で閉鎖状態にあり、また設備の運用を開始した場合に、予作動弁装置２４の２次側のスプリンクラーヘッド２６を接続した分岐管２２に１次側の給水本管１６と同じ規定圧の加圧消火用水を充水している。また予作動弁装置２４の２次側の分岐管２２には、ノズル付きホースを収納した補助散水栓２５を設けている。
【００２１】
予作動弁制御盤３４は火災感知器３６からの火災検出信号に基づく火災発報（火災検出）と、後の説明で明らかにするスプリンクラーヘッド２６の作動に伴う減圧警報検出スイッチ（減圧検出器）による減圧検出の両方を判別したときに、予作動弁装置２４を開放する。
【００２２】
［予作動弁装置の構成］
図２は図１の予作動弁装置を取り出して詳細を示した説明図の例である。図２に示すように、予作動弁装置２４は、制御弁３８に続いて、本弁として機能する予作動弁４０を備え、その２次側の防護区画に設置した分岐管２２にスプリンクラーヘッド２６及び補助散水栓２５を接続している。
【００２３】
またスプリンクラーヘッド２６を設置した防護区画に火災感知器３６を設置し、感知器線により自火報受信機３５を介して予作動制御盤３４に接続している。
【００２４】
初期状態において、シリンダ４２内には１次側の加圧消火用水が、仕切弁７６、オリフィス７０、逆止弁７２及び仕切弁５０を通る配管で充水され、これによってピストン４４を弁座４５に押し当てて弁閉鎖状態としている。この配管には信号停止弁７３を介してシリンダ４２内の圧力を示す制御室圧力計７４を接続している。
【００２５】
予作動弁装置２４の開放は作動電動弁４８により行う。作動電動弁４８はシリンダ４２内を排水管に接続する経路に設け、通常の監視状態では閉鎖状態にある。作動電動弁４８を図１に示した予作動制御盤３４からの開制御信号により開動作すると、シリンダ４２内の加圧消火用水が、開放した作動電動弁４８を通って排水され、シリンダ４２内の圧力が低下することで、１次側からの押圧をピストン４４が受けて予作動弁４０は開可能状態となる。
【００２６】
この状態で、２次側配管に接続しているスプリンクラーヘッド２６が火災による熱気流を受けて開放すると、作動したスプリンクラーヘッド２６からの放水により２次側の圧力が低下し、ピストン４４がリターンスプリング４６に抗してストロークして予作動弁４０が開放し、１次側から２次側に加圧消火用水が供給される。
【００２７】
予作動弁４０が開放すると、その１次側に接続している図１に示した給水本管１６の圧力が低下し、この減圧を圧力タンク１８に設けている圧力スイッチ２０で検出して、ポンプ制御盤１４がポンプ１０を始動する。予作動弁４０の２次側に設けているスプリンクラーヘッド２６の作動による減圧は、減圧検出器として機能する減圧警報圧力スイッチ５８で検出する。
【００２８】
また予作動弁４０の開放による２次側への流水は流水警報圧力スイッチ６０で検出する。流水警報圧力スイッチ６０に対しては、予作動弁４０の弁座４５の弁体シート面に開口した開口穴からの配管を、信号停止弁６２を介して接続している。また信号停止弁６２の２次側はオリフィス６４を介して排水側に接続している。
【００２９】
予作動弁４０がピストン４４のストロークにより開放すると、弁座４５からピストン４４が離れることで、流水警報用圧力スイッチ６０に対する配管に信号停止弁６２を介して１次側の加圧消火用水が供給され、これによって遅延タイマによる所定時間継続して水圧が加わったときに流水警報圧力スイッチ６０が作動し、流水警報検出信号を予作動制御盤２４へ出力する。予作動弁４０が閉鎖した場合に流水警報圧力スイッチ６０に加わる加圧消火用水はオリフィス６４を通って排水され、流水警報圧力スイッチ６０が復旧する。
【００３０】
［予作動制御盤の構成］
（予作動制御盤の概要）
図３は予作動弁制御盤の機能構成の実施形態を示したブロック図、である。
【００３１】
図３に示すように、予作動弁制御盤３４は、制御部１００、操作部１０２、表示部１０４、警報部１０６を備え、図１に示した例えば階別の防護区画毎に、予作動弁装置２４−１〜２４−ｎを接続している。なお、予作動弁装置２４−１〜２４−ｎを区別しない場合は予作動弁装置２４とする。
【００３２】
予作動弁装置２４−１〜２４−ｎは図２に示した構成を備えるが、その内の火災感知器２６、減圧警報圧力スイッチ５８及び作動用電動弁４８を取り出して示している。なお、火災感知器２６は予作動弁装置の防護区画に設置しているが、説明の都合上、予作動弁装置の中に示している。
【００３３】
制御部１００は、例えばプログラムの実行により実現される機能であり、ハードウェアとしてはＣＰＵ、メモリ、各種の入出力ポート等を備えたコンピュータ回路等を使用する。
【００３４】
制御部１００に対しては防護区画毎に設けた予作動弁装置２４−１〜２４−ｎ側に設けた火災感知器２６を感知器線１１４により接続し、また減圧警報圧力スイッチ５８を制御線１１６により接続し、更に、作動用電動弁４８を制御線１１８により接続している。
【００３５】
火災感知器３６を接続した感知器線１１４に対しては第１断線監視部１１０を設け、感知器線１１４の断線を検出すると断線検出信号を制御部１００へ出力する。減圧警報圧力スイッチ５８を接続した制御線１１６に対しては第２断線監視部１１２を設け、制御線１１６の断線を検出すると断線検出信号を制御部１００へ出力する。
【００３６】
操作部１０２は、予作動制御盤３４の制御動作に必要な各種の操作スイッチに加え、本実施形態にあっては、放水断定スイッチ１０８を新たに設けている。放水断定スイッチ１０８は放水断定操作を受け付けてスイッチ信号を制御部１００に出力する。
【００３７】
表示部１０４は、予作動制御盤３４の制御動作に必要な各種の表示器を設けている。警報部１０６には火災警報、障害警報を音響出力するスピーカなどを設けている。
【００３８】
図４は予作動制御盤のパネルを取出してその一例を示した説明図であり、図３に示した操作部１０２、表示部１０４及び警報部１０６を設けている。
【００３９】
図４に示す予作動制御盤パネルの操作部１０２は、表示部の一部の機能と警報部の機能を備えており、例えば電話ジャック１３２、電話呼出灯１３４、交流電源灯１３６、予備電源灯１３８、予備電源試験灯１４０、蓄積中灯１４２、ヒューズ断灯１４４、主音響停止スイッチ１４６、音響孔１４８、移報停止スイッチ１５０、障害音響停止スイッチ１５２、逐次音響停止スイッチ１５４、感知器連動停止スイッチ１５６、試験復旧スイッチ１５８、火災復旧スイッチ１６０、予作動弁閉鎖スイッチ１６２、２桁の回線番号を設定するダイヤル式の回線選択スイッチ１６６，１６８を備え、更に、放水断定スイッチ１０８を備える。
【００４０】
表示部１０４は、予作動式スプリンクラー消火設備の設置義務のある例えば６Ｆ〜２２Ｆの階別の防護区画に分けて、予作動弁開表示灯１２０、予作動弁閉表示灯１２２、火災表示灯１２４、２次圧力低下警報灯１２６、感知器線断線表示灯１２８及び制御線断線表示灯１３０を設けている。
【００４１】
（制御部の構成）
予作動制御盤３４の制御部１００は、防護区画毎に、図５のモード１〜６の制御を行う。
【００４２】
（動作モード１）
制御部１００は、第１断線監視部１１０により感知器線１１４の断線検出と第２断線監視部１１２による制御線１１６の断線検出の両方を判別していない通常監視状態で、火災感知器３６による火災検出と減圧警報圧力スイッチ５８による減圧検出の両方を判別した場合に予作動弁装置２４の予作動弁４０を開放してスプリンクラーヘッド２６から加圧消火用水を散水させる制御を行う。
【００４３】
（動作モード２）
制御部１００は、第１断線監視部１１０により火災感知器３６を接続した感知器線１１４の断線検出を判別した状態で、放水断定スイッチ１０８による放水断定操作の受付けを検出していない場合、図４に示した対応する階の感知線断線表示灯１２８を点灯し、スピーカから所定の断線障害の警報音を出力させる制御を行う。
【００４４】
（動作モード３）
また、制御部１００は、第２断線監視部１１２により減圧警報圧力スイッチ５８を接続した制御線１１４の断線検出を判別した状態で、放水断定スイッチ１０８による放水断定操作の受付けを検出していない場合、図４に示した対応する階の制御線断線表示灯１３０を点灯し、スピーカから所定の断線障害の警報音を出力させる制御を行う。
【００４５】
（動作モード４）
制御部１００は、第１断線監視部１１０により火災感知器３６を接続した感知器線１１４の断線検出と、減圧警報圧力スイッチ５８による減圧検出を判別した状態で、放水断定スイッチ１０８による放水断定操作の受付けを検出した場合、感知器線１１４の断線を検出し且つ減圧警報圧力スイッチ５８による減圧を検出した防護区画の制御線１１８を選択し、制御線１１８を介して作動用電動弁４８へ開制御信号を出力して作動用電動弁４８の開動作し、これより予作動弁４０を開放してスプリンクラーヘッド２６から加圧消火用水を散水させる制御を行う。
【００４６】
ここで、制御部１００は、減圧警報圧力スイッチ５８による減圧検出を判別した場合、図４に示す対応する階の２次圧力低下警報灯１２６を点灯し、スピーカから警報音を出力する制御を行う。このため係員は、２次圧力低下警報灯１２６の点灯により、その階で火災が発生してスプリンクラーヘッド２６が作動したことを知り、必要があれば現場確認を行った後、放水断定スイッチ１０８を操作することで、制御部１００は、感知器線１１４の断線を検出し且つ減圧警報圧力スイッチ５８による減圧を検出した防護区画の予作動弁装置２４を自動的に選択して開放する制御を行い、スプリンクラーヘッド２６から加圧消火用水を散水させることができる。
【００４７】
このため、係員は、感知器線１１４の断線検出と減圧警報圧力スイッチ５８の減圧検圧が行われた防護区画を認識し、この防護区画の予作動弁装置２４の回線を回線選択スイッチ１６６，１６８を操作して選択することなく、放水断定スイッチ１０８を操作するだけで、対応する防護区画の予作動弁装置２４を自動的に選択して開放する制御が行われ、スプリンクラーヘッド２６から加圧消火用水を散水させることができる。
【００４８】
また、予作動弁装置２４を点検する場合などに誤ってスプリンクラーヘッド２６を破損し、併せて感知器線１１４を断線してしまったような場合は、断線障害警報が報知されるだけであり、予作動弁装置２４の開放は行われないことから、破損したスプリンクラーヘッド２６から誤放水による水損を確実に防止できる。
【００４９】
（動作モード５）
制御部１００は、第２断線監視部１１２により減圧警報圧力スイッチ５８を接続した制御線１１６の断線検出と、火災感知器３６による火災検出を判別した状態で、放水断定スイッチ１０８による放水断定操作の受付けを検出した場合、制御線１１６の断線を検出し且つ火災感知器３６による火災を検出した防護区画の制御線１１８を選択し、制御線１１８を介して作動用電動弁４８へ開制御信号を出力して作動用電動弁４８の開動作し、これより予作動弁４０を開放してスプリンクラーヘッド２６から加圧消火用水を散水させる制御を行う。
【００５０】
ここで、制御部１００は、火災感知器３６による火災検出を判別した場合、図４に示す対応する階の火災表示灯１２４を点灯し、スピーカから火災警報音を出力する制御を行う。このため係員は、火災表示灯１２４の点灯と火災警報音により、その階で火災が発生したことを知り、必要があれば現場確認を行った後、放水断定スイッチ１０８を操作することで、制御部１００は、制御線１１６の断線を検出し且つ火災感知器３６による火災を検出した防護区画の予作動弁装置２４を自動的に選択して開放する制御を行い、スプリンクラーヘッド２６から加圧消火用水を散水させることができる。
【００５１】
このため、係員は、制御線１１６の断線検出と火災感知器３６の火災検圧が行われた防護区画を認識し、この防護区画の予作動弁装置２４の回線を回線選択スイッチ１６６，１６８を操作して選択することなく、放水断定スイッチ１０８を操作するだけで、対応する防護区画の予作動弁装置２４を自動的に選択して開放する制御が行われ、スプリンクラーヘッド２６から加圧消火用水を散水させることができる。
【００５２】
（動作モード６）
制御部１００は、第１断線監視部１１０により火災感知器３６を接続した感知器線１１４の断線検出と、第２断線監視部１１２により減圧警報圧力スイッチ５８を接続した制御線１１６の断線検出とを判別した状態で、放水断定スイッチ１０８による放水断定操作の受付けを検出した場合、第１断線監視部１１０により感知器線１１４の断線を検出し且つ第２断線監視部１１２により制御線１１６の断線を検出した防護区画の制御線１１８を選択し、制御線１１８を介して作動用電動弁４８へ開制御信号を出力して開動作し、これより予作動弁４０を開放してスプリンクラーヘッド２６から加圧消火用水を散水させる制御を行う。
【００５３】
ここで、制御部１００は、第１断線監視部１１０により火災感知器３６を接続した感知器線１１４の断線検出と、第２断線監視部１１２により減圧警報圧力スイッチ５８を接続した制御線１１６の断線検出とを判別した場合、図４に示す対応する階の感知器線断線表示灯１２６と制御線断線表示灯１２８を点灯すると共にスピーカから断線障害の警報音を出力する制御を行っている。
【００５４】
この断線障害警報の出力状態で、係員が現場からの通報などにより、断線障害警報を出している防護区画での火災発生を知った場合、放水断定スイッチ１０８を操作することで、制御部１００は、第１断線監視部１１０により感知器線１１４の断線を検出し、且つ、第２断線監視部１１２により制御線１１６の断線を検出した防護区画の予作動弁装置２４を自動的に選択して開放する制御を行い、係員は防護区画の予作動弁装置２４の回線を回線選択スイッチ１６６，１６８により選択する操作を必要とすることなく、簡単且つ確実に、スプリンクラーヘッド２６から加圧消火用水を散水させることができる。
【００５５】
（その他の動作モード）
火災感知器３６もしくは減圧警報圧力スイッチ５８どちらかで火災検出と減圧検出の一つでも判別し、感知器回線と圧力スイッチ回線が正常な場合でもあっても、放水断定スイッチ１０８による放水断定操作の受付けを検出した場合には、火災感知器３６による火災を検出もしくは、減圧警報圧力スイッチ５８による減圧を検出した防護区画の予作動弁装置２４を自動的に選択して開放する制御を行い、スプリンクラーヘッド２６から加圧消火用水を散水させることができる。
【００５６】
［予作動式スプリンクラー消火設備の制御動作］
図６は予作動式スプリンクラー消火設備で火災が発生した場合の制御動作、即ち図５のモード１の制御動作を示したフローチャートである。なお図７にあっては、予作動弁制御盤３４の処理をブロックで示し、それ以外のイベントや操作などについては二重のブロックで示している。
【００５７】
図６に示すように、ステップＳ１（以下「ステップ」は省略）で火災が発生した場合、Ｓ２で火災感知器３６が火災を検出し、Ｓ３で予作動弁制御盤３４の制御部１００が所定時間の蓄積動作を行い、蓄積時間を経過しても火災検出が継続している場合は、Ｓ４で火災検出を判別する。
【００５８】
一方、Ｓ５でスプリンクラーヘッド２６が火災による熱気流を受けて作動すると、Ｓ６で予作動弁４０の２次側配管内の減圧が発生し、これをＳ７のように減圧警報圧力スイッチ５８が作動して減圧検出信号を出力する。
【００５９】
予作動弁制御盤３４の制御部１００は警報圧力スイッチ５８からの減圧検出信号を受信して減圧検出を判別し、これによって火災検出と減圧検出の両方を判別することでアンド条件が成立し、作動電動弁４８に開制御信号を出力して、Ｓ８で作動電動弁４８を開放させる。
【００６０】
作動電動弁４８が開放すると、図２に示したように、シリンダ４２の加圧消火用水が排水されて圧力が低下し、１次側加圧消火用水の押圧を受けてピストン４４がストロークし、Ｓ９に示す予作動弁４０の開放が行われる。
【００６１】
予作動弁４０が開放すると、弁座４５に設けている流路が開放して１次加圧消火用水が流水警報用圧力スイッチ６０に供給され、所定の蓄積時間後にＳ１０のスイッチ作動となる。続いてＳ１１で予作動弁４０の開放に伴い１次側配管内即ち給水配管１６の圧力低下が発生し、これに伴い、図１に示した圧力タンク１８の圧力スイッチ２０がＳ１２に示すように作動し、Ｓ１３で消火ポンプ１０が始動することで加圧消火用水が供給され、開放状態にある予作動弁装置を介して、作動しているスプリンクラーヘッドから消火用水が放水され、Ｓ１４の消火が行われる。
【００６２】
続いてＳ１５で消火を確認したならば、Ｓ１６で図４に示した操作部１０２の予作動弁閉鎖スイッチ１６２を操作することで、作動電動弁４８の閉鎖をＳ１６で行う。作動電動弁４８が閉鎖すると、図２に示したように予作動弁４０の閉鎖がＳ１７で行われ、これに伴い、流水警報用圧力スイッチ６０がＳ１８で復旧し、Ｓ１９で放水停止に至る。
【００６３】
［本発明の変形例］
上記の実施形態は、予作動弁装置の２次側配管に加圧消火用水を充水する場合を例に取っているが、２次側配管に圧縮空気を充填させるようにしたスプリンクラー消火設備或いは真空ポンプを使用して２次側配管を負圧するスプリンクラー消火設備についても同様に適用できる。
【００６４】
また本発明はその目的と利点を損なうことのない適宜の変形を含み、更に上記の実施形態に示した数値による限定は受けない。
【符号の説明】
【００６５】
２４，２４−１〜２４−ｎ：予作動弁装置
３４：予作動弁制御盤
３６：火災感知器
４０：予作動弁
４２：シリンダ
４４：ピストン
４５：弁座
４８：作動電動弁
５８：減圧警報用圧力スイッチ
１００：制御部
１０２：操作部
１０８：放水断定スイツチ
１１０：第１断線監視部
１１２：第２断線監視部
１１４：感知器線
１１６：制御線
【図１】
2015029631.tif 000003
【図２】
2015029631.tif 000004
【図３】
2015029631.tif 000005
【図４】
2015029631.tif 000006
【図５】
2015029631.tif 000007
【図６】
2015029631.tif 000008